(57)【要約】【課題】吸着剤が担持された２つの吸着熱交換器を有する調湿装置において、吸着熱交換器の凍結や冷媒回路の低圧圧力の低下異常を回避する。【解決手段】調湿装置（20）の排気通路（50）に、再生側の吸着熱交換器（22,24）を通過して温度が上昇した出口空気の一部を再生側の吸着熱交換器（22,24）の入口側の排気通路（50）へ戻す戻し通路（1）を接続する。【選択図】図１
2014126255.tif 000002
【特許請求の範囲】
【請求項１】
調湿空間（S）へ向かう空気が流れる給気通路（40）と、
調湿空間（S）外へ向かう空気が流れる排気通路（50）と、
冷凍サイクルの冷媒回路（20a）に接続された２つの吸着熱交換器（22，24）と、
前記２つの吸着熱交換器（22，24）を吸着側となる蒸発器と再生側となる凝縮器とに交互に切り換える冷媒通路切換機構（25）と、
前記給気通路（40）と前記吸着側の吸着熱交換器（22，24）とを連通させて前記給気通路（40）の空気を除湿させ、前記排気通路（50）と再生側の吸着熱交換器（22，24）とを連通させて前記排気通路（50）の空気を加湿させるように切り換える空気通路切換機構（26,27）とを備え、
前記排気通路（50）には、再生側の吸着熱交換器（22,24）の出口空気の一部を再生側の吸着熱交換器（22,24）の入口側の排気通路（50）へ戻す戻し通路（1）が接続されていることを特徴とする調湿装置。
【請求項２】
請求項１において、
前記戻し通路（1）に設けられた風量調整機構（2）と、
前記冷媒通路切換機構（25）及び前記空気通路切換機構（26,27）の切換動作時に、前記戻し通路（1）の空気の風量が所定量よりも少なくなるように前記風量調整機構（2）を制御する制御部（8）とを備えていることを特徴とする調湿装置。
【請求項３】
請求項２において、
前記制御部（8）は、前記冷媒通路切換機構（25）及び前記空気通路切換機構（26,27）の切換動作時に前記戻し通路（1）の空気の風量が所定量よりも少なくなってから、一定時間の経過後で次の切換動作時前に、前記戻し通路（1）の空気の風量が所定量以上になるように前記風量調整機構（2）を制御することを特徴とする調湿装置。
【請求項４】
請求項１において、
前記戻し通路（1）に設けられた風量調整機構（2）と、
前記再生側の吸着熱交換器（22,24）の出口空気の湿度を検出する検出部（6）と、
前記検出部（6）の検出値が所定値以上の場合に前記戻し通路（1）の空気の風量が所定量よりも少なくなるように前記風量調整機構（2）を制御する制御部（8）とを備えていることを特徴とする調湿装置。
【請求項５】
請求項１から４の何れか１つに記載の調湿装置（10）を備える除湿システムであって、
前記調湿装置（10）の給気通路（40）と排気通路（50）とに跨って回転可能に設けられた吸着ロータ（31）を有し、前記給気通路（40）の空気の水分を前記給気通路（40）に位置する前記吸着ロータ（31）の吸着部（32）で吸着し、前記排気通路（50）に位置する吸着ロータ（31）の再生部（34）に吸着した水分を前記排気通路（50）の空気へ放出する除湿ユニット（30）を備え、
前記排気通路（50）には、前記除湿ユニット（30）を通過して温度が上昇した空気を再生側の吸着熱交換器（22,24）の入口側へ供給する供給通路（53）が接続されていることを特徴とする除湿システム。
【発明の詳細な説明】
【技術分野】
【０００１】
本発明は、吸着剤が担持された吸着熱交換器を用いて室内の湿度を調節する調湿装置、及びその調湿装置を用いた除湿システムに関するものである。
【背景技術】
【０００２】
従来から、吸着熱交換器を用いて室内の湿度を調節する調湿装置が知られている。特許文献１には、この種の調湿装置として、吸着剤が担持された２つの吸着熱交換器を用いて室内の湿度を調節するものが開示されている。
【０００３】
前記調湿装置は、圧縮機と膨張機構と２つの吸着熱交換器とが接続されて冷媒循環方向が所定時間毎に交互に切り換わる冷媒回路を有している。２つの吸着熱交換器は、冷媒循環方向の切換により、それぞれ蒸発器になる状態と凝縮器になる状態とに交互に切り換わる。また、２つの吸着熱交換器は、蒸発器となる際には、空気を冷媒によって冷却して空気中の水分を吸着剤に吸着させ、凝縮器となる際には、空気を冷媒によって加熱して吸着剤に吸着させた水分を空気中に放出させる。つまり、２つの吸着熱交換器は、蒸発器と凝縮器とに交互に切り換わることにより、空気中の水分を吸着剤に吸着させる吸着動作と、吸着剤に吸着した水分を空気中に放出して吸着剤を再生する再生動作とを交互に行うように構成されている。
【先行技術文献】
【特許文献】
【０００４】
【特許文献１】特開２００４−２９４０４８号公報
【発明の概要】
【発明が解決しようとする課題】
【０００５】
ところで、蒸発器となる吸着側の吸着熱交換器を通過する空気が露点以下の温度に冷却されると、吸着側の吸着熱交換器の吸着剤の表面において結露が生じる。このような結露による水滴は、通常、再生動作において冷媒によって加熱されて空気中に放出され、吸着熱交換器の吸着剤の表面から除かれる。
【０００６】
しかしながら、凝縮器となる再生側の吸着熱交換器に流入する空気の温度が極めて低く、また、冷媒回路の凝縮温度が低い場合には、再生側の吸着熱交換器において空気が十分に昇温されない。そのため、吸着側の吸着熱交換器の吸着剤の表面に結露した水滴が、再生側に切り換わっても空気中に放出されることなく残り、その後に吸着側に切り換わったときに凍結してしまうおそれがあった。また、凝縮器となる再生側の吸着熱交換器に流入する空気の温度が低くなると、冷媒回路の低圧圧力も低くなりやすく、低圧圧力の低下異常で冷媒回路の動作が停止してしまうという問題がある。
【０００７】
本発明は、かかる点に鑑みてなされたものであり、その目的は、吸着剤が担持された２つの吸着熱交換器を有する調湿装置において、吸着熱交換器の凍結や冷媒回路の低圧圧力の低下異常を回避することにある。
【課題を解決するための手段】
【０００８】
第１の発明は、調湿空間（S）へ向かう空気が流れる給気通路（40）と、調湿空間（S）外へ向かう空気が流れる排気通路（50）と、冷凍サイクルの冷媒回路（20a）に接続された２つの吸着熱交換器（22，24）と、前記２つの吸着熱交換器（22，24）を吸着側となる蒸発器と再生側となる凝縮器とに交互に切り換える冷媒通路切換機構（25）と、前記給気通路（40）と前記吸着側の吸着熱交換器（22，24）とを連通させて前記給気通路（40）の空気を除湿させ、前記排気通路（50）と再生側の吸着熱交換器（22，24）とを連通させて前記排気通路（50）の空気を加湿させるように切り換える空気通路切換機構（26,27）とを備え、前記排気通路（50）には、再生側の吸着熱交換器（22,24）の出口空気を再生側の吸着熱交換器（22,24）の入口側の排気通路（50）へ戻す戻し通路（1）が接続されている。
【０００９】
第１の発明では、再生側の吸着熱交換器（22,24）を通過して温度が上昇した出口空気が、戻し通路（1）を通じて再生側の吸着熱交換器（22,24）の入口空気と合流する。これにより、再生側の吸着熱交換器（22,24）の入口空気の温度が上昇する。
【００１０】
第２の発明は、第１の発明において、前記戻し通路（1）に設けられた風量調整機構（2）と、前記冷媒通路切換機構（25）及び前記空気通路切換機構（26,27）の切換動作時に、前記戻し通路（1）の空気の風量が所定量よりも少なくなり、一定時間の経過後で次の切換動作時前に、前記戻し通路（1）の空気の風量が所定量以上になるように前記風量調整機構（2）を制御する制御部（8）とを備えている。
【００１１】
第２の発明では、再生側の吸着熱交換器（22，24）の出口空気が、前記冷媒通路切換機構（25）及び前記空気通路切換機構（26,27）の切換動作直後に高湿であることから、その切換動作時に前記戻し通路（1）の空気の風量が所定量よりも少なくすることにより、高湿の空気が再生側の吸着熱交換器（22，24）へ戻る量が減少する。尚、この戻り量はゼロであってもよい。
【００１２】
第３の発明は、第２の発明において、前記制御部（8）は、前記冷媒通路切換機構（25）及び前記空気通路切換機構（26,27）の切換動作時に前記戻し通路（1）の空気の風量が所定量よりも少なくなってから、一定時間の経過後で次の切換動作時前に、前記戻し通路（1）の空気の風量が所定量以上になるように前記風量調整機構（2）を制御する。
【００１３】
第３の発明では、再生側の吸着熱交換器（22，24）の出口空気が、前記冷媒通路切換機構（25）及び前記空気通路切換機構（26,27）の切換動作の直後において高湿であるが時間の経過とともに吸着熱交換器（22，24）の水分が空気へ放出されることによって、出口空気が低湿になることから、その切換動作時から一定時間の経過後で次の切換動作時前に、前記戻し通路（1）の空気の風量が所定量以上になることにより、低湿の空気が再生側の吸着熱交換器（22，24）へ戻る量が増える。
【００１４】
第４の発明は、第１の発明において、前記戻し通路（1）に設けられた風量調整機構（2）と、前記再生側の吸着熱交換器（22,24）の出口空気の湿度を検出する検出部（6）と、前記検出部（6）の検出値が所定値以上の場合よりも前記検出部（6）の検出値が所定値未満の場合の方が前記戻し通路（1）の空気の風量が大きくなるように前記風量調整機構（2）を制御する制御部（8）とを備えている。
【００１５】
第４の発明では、前記再生側の吸着熱交換器（22,24）において、出口空気の湿度が所定値以上になると、この出口空気が再生側の吸着熱交換器（22,24）へ戻る量が少なくなる。
【００１６】
第５の発明は、第１から第４の何れか１つに記載の調湿装置（10）を備える除湿システムである。そして、前記給気通路（40）と前記排気通路（50）とに跨って回転可能に設けられた吸着ロータ（31）を有し、前記給気通路（40）の空気の水分を前記給気通路（40）に位置する前記吸着ロータ（31）の吸着部（32）で吸着し、前記排気通路（50）に位置する吸着ロータ（31）の再生部（34）に吸着した水分を前記調湿装置（10）の再生側の吸着熱交換器（22，24）で加湿される前の前記排気通路（50）の空気へ放出する除湿ユニット（30）を備えている。
【００１７】
第５の発明では、前記給気通路（40）の空気の水分が、吸着側の吸着熱交換器（22，24）と前記吸着ロータ（31）の吸着部（32）との両方で吸着される。また、前記吸着ロータ（31）の再生部（32）を通過した空気が、供給通路（53）を通じて再生側の吸着熱交換器（22,24）の入口側へ供給される。
【発明の効果】
【００１８】
本発明によれば、排気通路（50）に戻し通路（1）を接続するようにしたので、この戻し通路（1）を通じて、再生側の吸着熱交換器（22,24）の出口空気を入口空気に合流させることができる。これにより、再生側の吸着熱交換器（22,24）の入口空気の温度を上昇させることができる。この結果、冷媒回路（20a）の高圧圧力が上昇して、吸着熱交換器（22,24）の凍結や冷媒回路（20a）の低圧圧力の低下異常を回避することができる。
【００１９】
また、前記第２の発明によれば、前記冷媒通路切換機構（25）及び前記空気通路切換機構（26,27）の切換動作時に、前記戻し通路（1）の空気の風量が所定量よりも少なくなるようにしたので、高湿の空気が再生側の吸着熱交換器（22，24）へ戻る量を減少させることができる。これにより、この戻り量を減少させない場合に比べて、吸着熱交換器（22，24）の再生時間を早くすることができる。
【００２０】
尚、戻り量を減少させると、再生側の入口空気の温度が低下し、冷媒回路（20a）の高圧圧力が低下して、吸着熱交換器（22,24）の凍結等を引き起こしてしまうことが考えられるが、戻り量が減少した分だけ、再生側の吸着熱交換器（22，24）を通過する空気の量も減少するので、再生側の出口空気の温度が上昇し、冷媒回路（20a）の高圧圧力の低下が抑制することができる。
【００２１】
また、前記第３の発明によれば、前記冷媒通路切換機構（25）及び前記空気通路切換機構（26,27）の切換動作時から一定時間の経過後で次の切換動作時前に、前記戻し通路（1）の空気の風量が所定量以上になるようにしたので、低湿の空気が再生側の吸着熱交換器（22，24）へ戻る量を増やすことができる。これにより、この戻り量を増やさない場合に比べて、吸着熱交換器（22，24）の再生時間を早くすることができる。
【００２２】
また、前記第４の発明によれば、前記再生側の吸着熱交換器（22,24）において、出口空気の湿度が所定値以上になると、この出口空気の戻り量が少なくなるようにしたので、出口空気の戻り量を少なくしない場合に比べて、入口空気の湿度の上昇が抑えられる。これにより、再生側の吸着熱交換器（22，24）の再生時間が長くなるのを防ぐことができる。
【００２３】
また、前記第５の発明によれば、排気通路（50）に供給通路（53）を接続するようにしたので、この供給通路（53）を通じて、前記除湿ユニット（30）を通過して温度が上昇した空気を再生側の吸着熱交換器（22,24）の入口側へ供給することができる。これにより、再生側の吸着熱交換器（22,24）の入口空気の温度をさらに上昇させることができる。この結果、冷媒回路（20a）の高圧圧力が上昇して、吸着熱交換器（22,24）の凍結や冷媒回路（20a）の低圧圧力の低下異常を回避することができる。
【図面の簡単な説明】
【００２４】
【図１】図１は、本実施形態１の調湿装置の全体構成を示す概略図であり、調湿装置が第１動作のときの状態を示す図である。
【図２】図２は、本実施形態１の調湿装置の全体構成を示す概略図であり、調湿装置が第２動作のときの状態を示す図である。
【図３】図３は、本実施形態２の除湿システムの全体構成を示す概略図であり、除湿システムが第１動作のときの状態を示す図である。
【図４】図４は、本実施形態２の除湿システムの全体構成を示す概略図であり、除湿システムが第２動作のときの状態を示す図である
【図５】図５は、本実施形態２の除湿システムの冷媒回路を示す図である。
【図６】図６は、再生側の吸着熱交換器の出口空気の湿度と時間との関係を示すグラフである。
【発明を実施するための形態】
【００２５】
以下、本発明の実施形態を図面に基づいて詳細に説明する。
【００２６】
《発明の実施形態１》
本発明の実施形態１は、調湿空間（S）を調湿する調湿装置（20）に関するものである。この調湿装置（20）は、図１に示すように、給気通路（40）と排気通路（50）と戻し通路（1）とを備えている。給気通路（40）は、室外空気（OA）を給気（SA）として調湿空間（S）へ供給するものである。この給気通路（40）には、空気を調湿空間（S）へ搬送するための給気ファン（63）が設けられている。排気通路（50）は、給気通路（40）を流れる空気の一部を室外へ排気するものである。排気通路（50）は、給気通路（40）から分岐するように設けられている。この排気通路（50）には、空気を室外へ排出するための排気ファン（66）が設けられている。戻し通路（1）は、排気通路（50）を流れる空気の一部を下流側から上流側へ戻すものである。この戻し通路（1）には、空気の風量を調整するダンパ（2）が接続されている。このダンパ（2）が、本発明の風量調整機構（2）を構成する。
【００２７】
この調湿装置（20）は、圧縮機（21）、第１吸着熱交換器（22）、膨張弁（23）、第２吸着熱交換器（24）、及び四方切換弁（25）が接続された冷媒回路（20a）を備え、図示していないケーシング内に機器が収納されている。各吸着熱交換器（22,24）はフィンアンドチューブ式の熱交換器の表面に吸着剤が担持されたものであり、ケーシング内には、第１吸着熱交換器（22）を収納する収容室と、第２吸着熱交換器（24）を収納する収容室が設けられている（図示せず）。
【００２８】
四方切換弁（25）は、第１から第４までのポートを有し、第１ポートが圧縮機（21）の吐出側と、第２ポートが圧縮機（21）の吸入側と、第３ポートが第１吸着熱交換器（22）の端部と、第４ポートが第２吸着熱交換器（24）の端部とそれぞれ接続されている。四方切換弁（25）は、第１ポートと第３ポートとが連通するとともに第２ポートと第４ポートとが連通する第１状態（図１の実線で示す状態）と、第１ポートと第４ポートとが連通するとともに且つ第２ポートと第３ポートとが連通する第２状態（図１の破線で示す状態）とに切換可能に構成されている。ここで、四方切換弁（25）が、本発明の冷媒通路切換機構を構成する。
【００２９】
調湿装置（20）は、２つの吸着熱交換器（22,24）へ流入する空気の流れを変更する第１流路切換部（26）と、２つの吸着熱交換器（22,24）を流出した空気の流れを変更する第２流路切換部（27）とを備えている。各流路切換部（26,27）は、開閉式の複数のダンパによって構成されている。各流路切換部（26,27）は、図１の実線で示す状態と、図２の実線で示す状態とに、空気の流路を切換可能に構成されている。ここで、第１流路切換部（26）及び第２流路切換部（27）が、本発明の空気通路切換機構を構成する。
【００３０】
また、調湿装置（20）は、制御コントローラ（5）を備えている。この制御コントローラ（5）によって、調湿装置（20）の運転が制御される。この制御運転の中には、再生空気の入口温度制御が含まれる。この制御については、詳しく後述する。
【００３１】
−運転動作−
調湿装置（20）の運転時には、図１に示す第１動作と図２に示す第２動作とが所定時間おきに（例えば５分間隔のバッチ時間で）交互に行われる。また、給気ファン（63）と排気ファン（66）とが運転される。
【００３２】
第１動作では、第２吸着熱交換器（24）で空気を除湿すると同時に、第１吸着熱交換器（22）の吸着剤を再生する。第１動作では、第２吸着熱交換器（24）が本発明の吸着側の吸着熱交換器を構成し、第１吸着熱交換器（22）が本発明の再生側の吸着熱交換器を構成する。
【００３３】
第１動作中の冷媒回路（20a）では、四方切換弁（25）が図１の状態となり、膨張弁（23）が所定開度に制御される。第１流路切換部（26）は、給気通路（40）と第２吸着熱交換器（24）の収容室（図示省略）の入口とを連通させ、且つ排気通路（50）と第１吸着熱交換器（22）の収容室（図示省略）の入口とを連通させる。また、第２流路切換部（27）は、第２吸着熱交換器（24）の収容室の出口と給気通路（40）とを連通させ、且つ第１吸着熱交換器（22）の収容室の出口と排気通路（50）とを連通させる。
【００３４】
第１動作において、圧縮機（21）で圧縮された冷媒は、四方切換弁（25）を通過して、凝縮器としての第１吸着熱交換器（22）を流れる。第１吸着熱交換器（22）では、冷媒によって吸着剤が加熱され、吸着剤中の水分が空気へ放出される。第１吸着熱交換器（22）で放熱して凝縮した冷媒は、膨張弁（23）で減圧された後、蒸発器としての第２吸着熱交換器（24）を流れる。第２吸着熱交換器（24）では、空気中の水分が吸着剤に吸着され、この際に生じる吸着熱が冷媒に付与される。第２吸着熱交換器（24）で吸熱して蒸発した冷媒は、圧縮機（21）に吸入されて圧縮される。
【００３５】
第２動作では、第１吸着熱交換器（22）で空気を除湿すると同時に、第２吸着熱交換器（24）の吸着剤を再生する。第２動作では、第１吸着熱交換器（22）が本発明の吸着側の吸着熱交換器を構成し、第２吸着熱交換器（24）が本発明の再生側の吸着熱交換器を構成する。
【００３６】
第２動作中の冷媒回路（20a）では、四方切換弁（25）が図２の状態となり、膨張弁（23）が所定開度に制御される。第１流路切換部（26）は、給気通路（40）と第１吸着熱交換器（22）の収容室（図示省略）の入口とを連通させ、且つ排気通路（50）と第２吸着熱交換器（24）の収容室（図示省略）の入口とを連通させる。また、第２流路切換部（27）は、第１吸着熱交換器（22）の収容室の出口と給気通路（40）とを連通させ、且つ第２吸着熱交換器（24）の収容室の出口と排気通路（50）とを連通させる。
【００３７】
第２動作において、圧縮機（21）で圧縮された冷媒は、四方切換弁（25）を通過して、凝縮器としての第２吸着熱交換器（24）を流れる。第２吸着熱交換器（24）では、冷媒によって吸着剤が加熱され、吸着剤中の水分が空気へ放出される。第２吸着熱交換器（24）で放熱して凝縮した冷媒は、膨張弁（23）で減圧された後、蒸発器としての第１吸着熱交換器（22）を流れる。第１吸着熱交換器（22）では、空気中の水分が吸着剤に吸着され、この際に生じる吸着熱が冷媒に付与される。第１吸着熱交換器（22）で吸熱して蒸発した冷媒は、圧縮機（21）に吸入されて圧縮される。
【００３８】
室外空気（OA）は、給気通路（40）に流入する。第１動作では、この空気が調湿装置（20）の第２吸着熱交換器（24）を通過する。第２吸着熱交換器（24）では、空気中の水分が吸着剤に吸着される。また、第２動作では、この空気は、調湿装置（20）の第１吸着熱交換器（22）で除湿される。各吸着熱交換器（22，24）で吸着剤に水分が吸着されるときに発生する吸着熱は、吸着熱交換器（22，24）を流れる冷媒に与えられる。また、給気通路（40）を流れる空気は冷媒による冷却作用を受けるので、除湿されて湿度が低下するとともに冷却されて温度も低下する。
【００３９】
一方、給気通路（40）を流れる空気の一部は、排気通路（50）へ流入する。具体的には、給気通路（40）から排気通路（50）への分岐点は、吸着熱交換器（22，24）の上流側に位置しているので、吸着熱交換器（22，24）で除湿される前の空気の一部が排気通路（50）へ流入する。第１動作において、この空気は、調湿装置（20）の第１吸着熱交換器（22）を通過する。第１吸着熱交換器（22）では、吸着剤から空気中へ水分が脱離し、吸着剤が再生される。第１吸着熱交換器（22）から流出した空気は、その一部が戻し通路（1）へ流入し、残りが排気（EA）として室外へ排出される。また、第２動作では、空気が第２吸着熱交換器（24）の吸着剤を再生した後、第２吸着熱交換器（24）から流出した空気は、その一部が戻し通路（1）へ流入し、残りが排気（EA）として室外へ排出される。具体的には、戻し通路（1）の流入端が排気通路（50）の吸着熱交換器（22，24）の下流側に接続され、戻し通路（1）の流出端が排気通路（50）の吸着熱交換器（22，24）の上流側に接続されている。そして、戻し通路（1）のダンパ（2）の調整により、この空気の戻り量が調整される。
【００４０】
（再生空気の入口温度制御）
次に、制御コントローラ（5）が行う再生空気の入口温度制御について説明する。
【００４１】
制御コントローラ（5）には、室外空気温度センサ（11）と再生空気入口温度センサ（15）と再生空気出口温度センサ（6）とが信号線で接続されている。制御コントローラ（5）には、これらのセンサ（6,11,15）の検出値が入力される。
【００４２】
室外空気温度センサ（11）は、給気通路（40）と排気通路（50）との分岐点よりも上流側の給気通路（40）に設けられている。この室外空気温度センサ（11）は室外の空気温度を検知する。再生空気入口温度センサ（15）は、第１流路切換部（26）よりも上流側の排気通路（50）に設けられている。この再生空気入口温度センサ（15）は、再生側の吸着熱交換器（22,24）へ流入する空気の温度を検知する。再生空気出口温度センサ（6）は、第２流路切換部（27）よりも下流側の排気通路（50）に設けられている。再生空気出口温度センサ（6）は、再生側の吸着熱交換器（22,24）から流出する空気の温度を検知する。
【００４３】
また、制御コントローラ（5）は、検知部（7）及び制御部（8）を備えている。検知部（7）は、四方切換弁（25）、第１流路切換部（26）及び第２流路切換部（27）の切換動作を検知するものである。制御部（8）は、再生空気の入口温度制御を行うものである。
【００４４】
制御コントローラ（5）の制御部（8）は、再生空気入口温度センサ（15）の検出値が所定温度（例えば、５℃）未満であることを検知すると、その検出値が所定温度以上になるように、戻し通路（1）のダンパ（2）の開度を調整する。この制御を第１制御という。
【００４５】
また、制御部（8）は、この第１制御の途中で、検知部（7）が切換動作（調湿装置（20）の第１動作から第２動作の切換、又は第２動作から第１動作の切換）を検知すると、その切換動作の直後に、第１制御を中断し、戻し通路（1）のダンパ（2）の開度を最小開度まで強制的に閉じ、最小開度の状態を一定時間（例えば、６０秒）保持する。この制御を第２制御という。そして、この一定時間の経過後、第２制御を終了して第１制御を再開する。
【００４６】
このように、第１制御から第２制御へ切り換えることにより、図６に示すように、絶対湿度がＡ値（例えば、５ｇ／ｋｇＤＡ）以下の再生出口空気のみを再生側の吸着熱交換器（22,24）の入口側へ戻すことができる。尚、このＡ値は、運転条件によって変化させるようにしてもよい。
【００４７】
尚、再生側の吸着熱交換器（22,24）の出口空気の絶対湿度が図６のように変化するのは、四方切換弁（25）、第１流路切換部（26）及び第２流路切換部（27）の切換動作直後、吸着熱交換器（22,24）が吸着側から再生側へ切り換わったばかりなので、吸着熱交換器（22,24）に吸着した水分の量は多く、再生側の出口空気の湿度が高い。その後、時間の経過とともに吸着熱交換器（22,24）の水分保有量が減少することによって、再生側の出口空気の湿度が低くなる。本実施形態では、制御部（8）の再生空気の入口温度制御によって、高湿の再生空気の戻り量を少なくし、低湿の再生空気を積極的に取り込むようにしている。
【００４８】
また、制御部（8）の第２制御時、再生側の出口空気の吸着熱交換器（22,24）への戻り量が減少するため、再生側の入口空気の温度が低下し、冷媒回路（20a）の高圧圧力が下がることが考えられるが、この戻り量が減少することにより、吸着熱交換器（22,24）へ流入する空気の量が少なくなるので、冷媒回路（20a）の高圧圧力の低下が抑制される。
【００４９】
−実施形態１の効果−
本実施形態１によれば、排気通路（50）に戻し通路（1）を接続するようにしたので、この戻し通路（1）を通じて、再生側の吸着熱交換器（22,24）の出口空気を入口空気に合流させることができる。これにより、再生側の吸着熱交換器（22,24）の入口空気の温度を上昇させることができる。この結果、冷媒回路（20a）の高圧圧力が上昇して、吸着熱交換器（22,24）の凍結や冷媒回路（20a）の低圧圧力の低下異常を回避することができる。
【００５０】
また、本実施形態１によれば、四方切換弁（25）、第１流路切換部（26）及び第２流路切換部（27）の切換動作時に、前記戻し通路（1）の空気の風量が所定量よりも少なくなるようにしたので、高湿の空気が再生側の吸着熱交換器（22，24）へ戻る量を減少させることができる。これにより、この戻り量を減少させない場合に比べて、吸着熱交換器（22，24）の再生時間を早くすることができる。
【００５１】
尚、戻り量を減少させると、再生側の入口空気の温度が低下し、冷媒回路（20a）の高圧圧力が低下して、吸着熱交換器（22,24）の凍結等を引き起こしてしまうことが考えられるが、戻り量が減少した分だけ、再生側の吸着熱交換器（22，24）を通過する空気の量も減少するので、冷媒回路（20a）の高圧圧力の低下を抑制することができる。
【００５２】
また、本実施形態１によれば、四方切換弁（25）、第１流路切換部（26）及び第２流路切換部（27）の切換動作時から一定時間の経過後で次の切換動作時前に、前記戻し通路（1）の空気の風量が所定量以上になるようにしたので、低湿の空気が再生側の吸着熱交換器（22，24）へ戻る量を増やすことができる。これにより、この戻り量を増やさない場合に比べて、吸着熱交換器（22，24）の再生時間を早くすることができる。また、この戻り量が増えると、再生側の吸着熱交換器（22，24）を通過する空気の量が増加するので、冷媒回路（20a）の高圧圧力と低圧圧力の差圧が小さくなって、冷媒回路（20a）の運転効率が上がる。
【００５３】
−実施形態１の変形例−
実施形態１の変形例では、制御コントローラ（5）の制御部（8）の構成が、上述した実施形態とは異なる。変形例の制御部（8）では、再生側の出口空気の湿度を検出する湿度センサ（9）の検出値に基いて、再生空気の入口温度制御を行う。具体的には、この湿度センサ（9）の検出値が、図６のＡ値に相当する相対湿度以上の場合に、制御部（8）の第１制御を中断して第２制御へ切り換え、戻し通路（1）のダンパ（2）の開度を最小開度まで強制的に閉じるようにする。
【００５４】
これにより、高湿の出口空気の再生側の吸着熱交換器（22,24）への戻り量を確実に減少させることができる。
【００５５】
《発明の実施形態２》
本発明の実施形態２は、調湿空間（S）を除湿する除湿システム（10）に関するものである。この除湿システム（10）は、室外空気（OA）を除湿し、この空気を給気（SA）として室内へ供給する。除湿対象となる調湿空間（S）は、低露点空気が求められるリチウム電池の製造ラインのドライクリーンエリアであり、図１の除湿システム（10）はリチウムイオン電池の製造ラインの一部を構成するものである。
【００５６】
図１に示すように、除湿システム（10）は、第１除湿ユニット（20）と、第２除湿ユニット（30）と、第３除湿ユニット（60）とを備えている。ここで、第１除湿ユニット（20）が、本発明の調湿装置を構成する。また、第２除湿ユニット（30）が、本発明の除湿ユニットを構成する。尚、実施形態１の調湿装置と第１除湿ユニット（20）とは同じ構成であるため、第１除湿ユニット（20）の構成についての説明は省略する。
【００５７】
この除湿システム（10）は、室外空気（OA）を除湿して給気（SA）として調湿空間（S）へ供給するための給気通路（40）を備えている。給気通路（40）は、第１から第３までの給気路（41,42,43）を有している。第１給気路（41）は、第１除湿ユニット（20）の上流側に形成されている。第２給気路（42）は、第１除湿ユニット（20）と第２除湿ユニット（30）の間に形成され、中間冷却器を介さずに第１除湿ユニット（20）と第２除湿ユニット（30）を直接に接続している。第３給気路（43）は、第２除湿ユニット（30）の下流側に形成されている。
【００５８】
また、除湿システム（10）は、給気通路（40）の一部の空気を排気（EA）として室外へ排出するための排気通路（50）を備えている。排気通路（50）は、第１から第４までの排気路（51,52,53,54）を備えている。排気通路（50）は、流入端が第２給気路（42）に接続し、流出端が室外に連通している。尚、第３排気路（53）が、本発明の供給通路を構成する。
【００５９】
前記給気通路（40）は調湿空間（S）へ供給される空気が通過する通路であり、排気通路（50）は室外へ排出される空気が通過する通路であって、この給気通路（40）と排気通路（50）により、空気通路（40，50）が構成されている。そして、この空気通路（40，50）には、前記第３除湿ユニット（60）と第１除湿ユニット（20）と第２除湿ユニット（30）が、調湿空間（S）へ供給される空気である室外空気の入口側から順に配置されている。
【００６０】
第３除湿ユニット（60）は、前記室外空気を冷却して除湿する外気冷却熱交換器（61）と、外気冷却熱交換器（61）で凝縮した水を回収するドレンパン（62）とを備え、外気冷却熱交換器（61）が第１給気路（41）に設けられている。また、第２給気路（42）には、空気を調湿空間（S）へ搬送するための給気ファン（63）が設けられている。第３給気路（43）には、空気を加熱する再熱熱交換器（64）が設けられている。
【００６１】
第２除湿ユニット（30）は、吸着ロータ（31）と再生熱交換器（65）とを有している。吸着ロータ（31）は、円板状の多孔性の基材の表面に吸着剤が担持されることにより構成されている。吸着ロータ（31）は、給気通路（40）と排気通路（50）に跨って配置されるとともに、駆動機構（図示省略）によって駆動されて、両通路（40，50）の間の軸心を中心として回転するように構成されている。
【００６２】
吸着ロータ（31）には、給気通路（40）の第３給気路（43）を流れる空気が通過する第１吸着部（32）と、排気通路（50）の第１排気路（51）を流れる空気が通過する第２吸着部（33）と、排気通路（50）の第２排気路（52）を流れる空気が通過する再生部（34）とが形成されている。第１吸着部（32）と第２吸着部（33）とでは、空気中の水分が吸着され、再生部（34）では、吸着剤中の水分が空気中へ放出される。
【００６３】
第１排気路（51）は、吸着ロータ（31）の第２吸着部（33）の上流側に形成されている。第２排気路（52）は、吸着ロータ（31）の第２吸着部（33）と、該吸着ロータ（31）の再生部（34）との間に形成されている。第３排気路（53）は、吸着ロータ（31）の再生部（34）と第１除湿ユニット（20）の間に形成されている。本実施形態では、第３排気路（53）は、吸着ロータ（31）の再生部（34）と第１除湿ユニット（20）の戻し通路（1）とを接続している。
【００６４】
第２排気路（52）には、吸着ロータ（31）を再生するために空気を加熱する前記再生熱交換器（65）が、吸着ロータ（31）への再生側空気の入口側に設けられている。第４排気路（54）には、空気を室外へ放出するための排気ファン（66）が設けられる。
【００６５】
除湿システム（10）は、調湿空間（S）空気（RA）を給気通路（40）へ返送する環気通路（58）を備えている。環気通路（58）は、流入端が調湿空間（S）に連通する還気口（58a）に接続され、流出端が第２給気路（42）に接続している。つまり、環気通路（58）の流出端は、給気通路（40）における第１除湿ユニット（20）と吸着ロータ（31）との間に接続されている。また、環気通路（58）の流出端は、排気通路（50）の流入端よりも上流側に位置している。環気通路（58）には、調湿空間（S）空気を給気通路（40）へ送り出す換気ファン（59）と、空気冷却部を構成する環気冷却熱交換器（67）が設けられている。
【００６６】
吸着熱交換器（22，24）と吸着ロータ（31）には異なる性質の吸着剤が用いられている。具体的には、前段側に位置する吸着熱交換器（22，24）には、高い水蒸気分圧（相対湿度）で吸着剤を操作するため、高分子収着剤やＢ型シリカゲルのように吸着等温線が右上がりの直線に対して下に凸の吸着等温線を有する吸着剤が用いられ、後段側に位置する吸着ロータ（31）には、低い水蒸気分圧（相対湿度）で吸着剤を操作するため、Ａ型シリカゲルやゼオライトのように吸着等温線が右上がりの直線に対して上に凸の吸着等温線を有する吸着剤が用いられている。
【００６７】
つまり、吸着熱交換器（22，24）では、相対湿度が比較的高いときに含水率が大きく、かつ空気の相対湿度が高くなるほど相対湿度の単位増加量当たりの吸着量が大きくなる吸着等温線を有する吸着剤が選定され、吸着ロータ（31）では、相対湿度が比較的低いときに含水率が大きく、かつ空気の相対湿度が低くなるほど相対湿度の単位増加量当たりの吸着量が大きくなる吸着等温線を有する吸着剤が選定されている。
【００６８】
第３除湿ユニット（60）の外気冷却熱交換器（61）による冷却除湿は露点が約８℃以上の領域で、第１除湿ユニット（20）の吸着熱交換器（22，24）による吸着除湿は露点が約１０℃〜−２０℃の領域で、第２除湿ユニット（30）の吸着ロータ（31）による乾式除湿は露点が約−２０℃〜−８０℃の領域で用いるのに適している。
【００６９】
図５に示すように、本実施形態２の除湿システム（10）は、前記各熱交換器（61,64,65,67,83,88）が接続される冷媒回路（70a）を有する冷凍ユニット（70）を備えている。本実施形態２の冷媒回路（70a）は、１つの閉回路を冷媒が循環する一元冷凍サイクル式の冷媒回路である。
【００７０】
冷媒回路（70a）には、圧縮機（80）が接続されている。圧縮機（80）は、ロータリー式、スイング式、スクロール式等の回転式流体機械である。圧縮機（80）は、インバータ回路によって回転数が調節される可変容量式に構成されている。
【００７１】
圧縮機（80）の吐出側は、第１吐出ライン（71）と第２吐出ライン（72）とに分岐している。第１吐出ライン（71）には、上流側から下流側に向かって順に、前記再生熱交換器（65）、第１膨張弁（81）、前記再熱熱交換器（64）、及び第２膨張弁（82）が接続されている。第２吐出ライン（72）には、上流側から下流側に向かって順に、凝縮圧力調整熱交換器（83）と第３膨張弁（84）とが接続されている。凝縮圧力調整熱交換器（83）の近傍には、室外空気を送風する第１室外ファン（85）が設けられている。
【００７２】
圧縮機（80）の吸入側は、第１吸入ライン（73）と第２吸入ライン（74）とに分岐している。第１吸入ライン（73）には、上流側から下流側に向かって順に、前記外気冷却熱交換器（61）、逆止弁（86）、環気冷却熱交換器（67）が接続されている。第１吸入ライン（73）には、外気冷却熱交換器（61）及び逆止弁（86）をバイパスするバイパス管（77）が接続されている。バイパス管（77）には、電磁式の開閉弁（92）が設けられている。第２吸入ライン（74）には、上流側から下流側に向かって順に、第４膨張弁（87）と蒸発圧力調整熱交換器（88）とが接続されている。蒸発圧力調整熱交換器（88）の近傍には、室外空気を送風する第２室外ファン（89）が設けられる。
【００７３】
各吐出ライン（71,72）の流出端と各吸入ライン（73,74）の流入端との間には、１本の合流管（75）が接続されている。合流管（75）には、気液分離器（79）が設けられる。気液分離器（79）の気相部には、インジェクション管（76）の流入端が接続している。インジェクション管（76）の流出端は、圧縮機（80）の吸入管に接続している。インジェクション管（76）には、第５膨張弁（91）が設けられる。
【００７４】
再生熱交換器（65）、再熱熱交換器（64）、及び凝縮圧力調整熱交換器（83）は、冷媒が空気へ放熱して凝縮する凝縮器を構成する。外気冷却熱交換器（61）、環気冷却熱交換器（67）、及び蒸発圧力調整熱交換器（88）は、冷媒が空気から吸熱して蒸発する蒸発器を構成する。上述した各膨張弁（81,82,84,87,91）は、例えば電子膨張弁であり、冷媒の圧力を調整する減圧機構を構成している。
【００７５】
除湿システム（10）は、各種のセンサを備えている。具体的に、除湿システム（10）は、冷媒回路（70a）の高圧圧力（凝縮圧力）を検出する高圧圧力センサ（95）と、冷媒回路（70a）の低圧圧力（蒸発圧力）を検出する低圧圧力センサ（96）とを備えている。また、除湿システム（10）は、再生熱交換器（65）、再熱熱交換器（64）、外気冷却熱交換器（61）、及び環気冷却熱交換器（67）の必要能力を検出するための負荷検出手段を備えている。この負荷検出手段は、例えば、再生熱交換器（65）の下流側の空気温度を検知する第１空気温度センサ（101）、再熱熱交換器（64）の下流側の空気温度を検知する第２空気温度センサ（102）、外気冷却熱交換器（61）の下流側の空気温度を検知する第３空気温度センサ（103）、及び環気冷却熱交換器（67）の下流側の空気温度を検知する第４空気温度センサ（104）で構成される。
【００７６】
除湿システム（10）は、コントローラ（110）を備えている。コントローラ（110）は、上述した各種のセンサの検出値や、ユーザーによって入力される各種の設定値に基づいて、圧縮機（80）の回転数、各膨張弁（81,82,84,87,91）の開度、各室外ファン（85,89）の送風量等を制御する。
【００７７】
−運転動作−
除湿システム（10）の運転動作について説明する。
【００７８】
〈冷凍ユニットの基本動作〉
除湿システムの運転時には、冷凍ユニット（70）で冷凍サイクルが行われる。冷凍ユニット（70）の基本動作時には、第１膨張弁（81）、第２膨張弁（82）、及び第５膨張弁（91）の開度が適宜調節され、第３膨張弁（84）と第４膨張弁（87）とが全閉状態となる。また、第１室外ファン（85）と第２室外ファン（89）とが停止状態となる。
【００７９】
圧縮機（80）で圧縮された冷媒は、第１吐出ライン（71）に送られ、再生熱交換器（65）を流れる。再生熱交換器（65）では、冷媒が空気へ放熱して凝縮する。再生熱交換器（65）で凝縮した冷媒は、第１膨張弁（81）でやや低い圧力まで減圧された後、再熱熱交換器（64）を流れる。再熱熱交換器（64）では、冷媒が空気へ放熱して凝縮する。再熱熱交換器（64）で凝縮した冷媒は、第２膨張弁（82）で低圧まで減圧されて気液分離器（90）を通過し、第１吸入ライン（73）に送られる。なお、第２膨張弁（82）の開度は、圧縮機（80）の吸入側の冷媒の過熱度によって制御される。
【００８０】
第１吸入ライン（73）に送られた冷媒は、外気冷却熱交換器（61）を流れる。外気冷却熱交換器（61）では、冷媒が空気から吸熱して蒸発する。外気冷却熱交換器（61）で蒸発した冷媒は、逆止弁（86）を通過して環気冷却熱交換器（67）を流れる。環気冷却熱交換器（67）では、冷媒が空気から吸熱して蒸発する。環気冷却熱交換器（67）で蒸発した冷媒は、圧縮機（80）に吸入されて圧縮される。
【００８１】
〈除湿システムの運転動作〉
次いで、除湿システム（10）の運転動作について説明する。除湿システム（10）の運転時には、第１除湿ユニット（20）が図３に示す第１動作と図４に示す第２動作とを交互に行う。また、給気ファン（63）と排気ファン（66）と還気ファン（59）とが運転される。
【００８２】
室外空気（OA）は、給気通路（40）の第１給気路（41）に流入する。この空気は、比較的高温高湿の空気である。第１給気路（41）を流れる空気は、第３除湿ユニット（60）の外気冷却熱交換器（61）によって冷却される。冷却時に空気中から発生した凝縮水は、ドレンパン（62）に回収される。第１動作では、外気冷却熱交換器（61）で冷却及び除湿された空気は、第１除湿ユニット（20）の第２吸着熱交換器（24）を通過する。第２吸着熱交換器（24）では、空気中の水分が吸着剤に吸着される。また、第２動作では、外気冷却熱交換器（61）で冷却及び除湿された空気は、第１除湿ユニット（20）の第１吸着熱交換器（22）で除湿される。
【００８３】
各吸着熱交換器（22，24）で吸着剤に水分が吸着されるときに発生する吸着熱は、吸着熱交換器（22，24）を流れる冷媒に与えられる。また、給気通路（40）を流れる空気は冷媒による冷却作用を受けるので、除湿されて湿度が低下するとともに冷却されて温度も低下する。
【００８４】
第１除湿ユニット（20）で除湿された空気は、第２給気路（42）を流れ、吸着ロータ（31）の第１吸着部（32）を通過する。その結果、この空気中の水分が吸着ロータ（31）の吸着剤に吸着される。吸着ロータ（31）で除湿された空気は、再熱熱交換器（64）で温度が調整された後、給気（SA）として調湿空間（S）へ供給される。
【００８５】
第２給気路（42）を流れる空気の一部は、排気通路（50）に流入し、吸着ロータ（31）の第２吸着部（33）を通過する。その結果、この空気中の水分が吸着ロータ（31）の吸着剤に吸着される。第２吸着部（33）は高温の再生側空気が通過した再生部（34）が第１吸着部（32）へ移動する途中の段階であり、第２吸着部（33）に第２給気路（42）の空気が流れることにより、第２吸着部（33）が冷やされる作用も生じることになる。
【００８６】
吸着ロータ（31）の第２吸着部（33）で除湿された空気は、第２排気路（52）を流れて再生熱交換器（65）で加熱される。加熱された空気は、吸着ロータ（31）の再生部（34）を通過する。その結果、吸着ロータ（31）の吸着剤から空気中へ水分が脱離し、吸着剤が再生される。吸着ロータ（31）の再生に利用された空気は、第３排気路（53）を流れ、第４排気路（54）から戻り通路（1）を通じて分流してくる空気と合流した後に、さらに分岐路（55）から送られてくる空気と合流する。これらの空気の合流により、分岐路（55）から送られてくる空気のみを吸着熱交換器（22,24）へ流す場合に比べて、吸着熱交換器（22,24）の再生側空気の入口温度を上昇させることができる。
【００８７】
調湿空間（S）の空気の一部は、排気（EA）として室外へ排出される。また、調湿空間（S）の空気の一部は、環気通路（58）に流入する。環気通路（58）を流れる空気は、環気冷却熱交換器（67）によって冷却された後、第２給気路（42）へ返送される。この返送空気は、第１除湿ユニット（20）で除湿された空気と混合される。第１除湿ユニット（20）で除湿された空気と、調湿空間（S）から返送された空気とでは、返送された空気の方が低温、低湿となっている。このため、第１除湿ユニット（20）で除湿された空気は、返送空気と混合されることで、更に低温低湿となる。これにより、吸着ロータ（31）での水分の吸着能力が向上する。
【００８８】
還気通路（58）を流れる空気は、還気ファン（59）によって第２吸気路（42）へ押し込まれる。ここで、還気ファン（59）を設けずに給気ファン（63）だけで調湿空間（S）空気を第２吸気路（42）に吸い込む構成では、ダクトの外から高湿の室外空気を吸い込んで給気（SA）の湿度が高くなるおそれがあるが、本実施形態２では還気ファン（59）で空気を第２吸気路（42）へ押し込んでいるため、系内が陽圧になり、高湿の外気を吸い込むのが防止される。したがって、給気（SA）の湿度が上昇するのを防止できる。
【００８９】
〈除湿システムの省エネルギー化〉
本実施形態２では、二段目に冷媒回路の吸着熱交換器（22，24）を設けることで、空気の除湿と同時に冷却が可能になり、三段目の吸着ロータ（31）の前の冷却コイルが不要になる。
【００９０】
室外空気は、外気冷却熱交換器（61）を通過することにより温度と湿度が低下する。この空気は、吸着熱交換器（22，24）を通過することでさらに温度と湿度が低下する。この空気は、還気通路（58）を流れる空気と混合されて湿度が低下し、さらに吸着ロータ（31）を通過することにより、実質的に水蒸気を含まないＦ点の低露点（約−５０℃）の空気になって調湿空間（S）に供給される。
【００９１】
二段目の除湿ユニットとして吸着熱交換器（22，24）による吸着除湿を行うことにより、低露点の空気が得られると同時に乾球温度も下げることができる。直列に吸着ロータ（31）を並べる場合に比べて、達成の困難な理想的な除湿が可能となる。つまり、吸着熱交換器（22，24）で温度と湿度を下げておけば、空気が低温になっているために３段目の吸着ロータ（31）で発生する吸着熱が少なくなって温度上昇を抑えることができるうえ、吸着熱交換器（22，24）では製造上の問題から吸着面積を大きくしにくいのに対して吸着ロータ（31）では吸着面積を吸着熱交換器（22，24）よりも稼げるために除湿量も大きなり、低湿度で低温の空気を得ることができる。
【００９２】
そして、従来の除湿システムでは、低露点空気（露点−５０℃）を得るための再生温度は約１４０℃の高温が必要であったが、本実施形態のシステムでは、再生熱交換器（65）により加熱した６０℃の空気を再生側空気として用いることにより、同様の低露点空気を得ることが可能となり、吸着ロータ（31）の再生に要するエネルギーを低減できる。吸着ロータ（31）を通過した空気は、通路（55）の空気と混合されて、吸着熱交換器（22，24）の再生に用いられる。
【００９３】
吸着ロータ（31）の再生温度を下げることは、２段目に設置した吸着熱交換器（22，24）で除湿した低露点の空気を用いることで達成することが可能となったものである。言い換えると、吸着ロータ（31）に低露点の空気を供給するようにしているので、上述したように水分を多く吸着して低湿度にしても吸着熱がほとんど発生せず、再生温度を下げることができる。
【００９４】
また、再生温度が６０℃でになるため、再生の熱源にヒートポンプで加熱する対応が従来は実現が困難であったのに対し、その実現が可能となる。
【００９５】
なお、本実施形態２では、ドライクリーンルームからの還気通路（58）に送風機（59）を設けることにより系内全体を陽圧化しているため、空気への水分混入の可能性が低くなり、システムの安定性も高められる。
【００９６】
〈冷凍ユニットのその他の制御動作〉
図５に示す冷凍ユニット（70）では、除湿システムの運転条件に応じて、以下のような制御動作が適宜実行される。
【００９７】
除湿システムの運転時には、コントローラ（110）において、凝縮器側（即ち、再生熱交換器（65）及び再熱熱交換器（64）側）の必要能力Ｑｃと、蒸発器側（即ち、外気冷却熱交換器（61）及び環気冷却熱交換器（67）側）の必要能力Ｑｅとが、各温度センサ（101〜104）の検出温度に基づいて算出される。
【００９８】
凝縮器側の必要能力Ｑｃが、蒸発器側の必要能力Ｑｅよりも大きい場合、高圧圧力センサ（95）で検出された凝縮圧力が、必要能力Ｑｃに基づいて決定される目標凝縮圧力に到達するように、圧縮機（80）の回転数が調節される。これにより、凝縮圧力を速やかに目標凝縮圧力に到達させて、必要能力Ｑｃを確保できる。
【００９９】
一方、凝縮圧力が目標値に至るように圧縮機（80）を制御した場合、蒸発圧力が目標蒸発圧力を上回り、蒸発器側の必要能力Ｑｅが不足してしまうことがある。そこで、このような場合には、第３膨張弁（84）を所定の開度で開放させる。第３膨張弁（84）が開かれると、圧縮機（80）の吐出側の冷媒は、第１吐出ライン（71）と第２吐出ライン（72）との双方を流れ、凝縮圧力調整熱交換器（83）においても冷媒が凝縮する。すると、圧縮機（80）は、凝縮圧力を目標凝縮圧力に維持するように、回転数が大きくなる。その結果、蒸発圧力を低下させて目標の蒸発圧力に近づけることができる。
【０１００】
また、蒸発器側の必要能力Ｑｅが、凝縮器側の必要能力Ｑｃよりも大きい場合、低圧圧力センサ（96）で検出された蒸発圧力が、必要能力Ｑｅに基づいて決定される目標蒸発圧力に到達するように、圧縮機（80）の回転数が調節される。これにより、蒸発圧力を速やかに目標蒸発圧力に到達させて、必要能力Ｑｅを確保できる。
【０１０１】
一方、蒸発圧力が目標値に至るように圧縮機（80）を制御した場合、凝縮圧力が目標凝縮圧力を下回り、凝縮器側の必要能力Ｑｃが不足してしまうことがある。そこで、このような場合には、第４膨張弁（87）を所定の開度で開放させる。第４膨張弁（87）が開かれると、圧縮機（80）の吸入側の冷媒は、第１吸入ライン（73）と第２吸入ライン（74）との双方を流れ、蒸発圧力調整熱交換器（88）においても冷媒が蒸発する。すると、圧縮機（80）は、蒸発圧力を目標蒸発圧力に維持するように、回転数が大きくなる。その結果、凝縮圧力を上昇させて目標の凝縮圧力に近づけることができる。
【０１０２】
また、冷凍ユニット（70）では、外気温度センサ（図示省略）で検出された室外空気（OA）の温度が、目標蒸発圧力よりも低い場合に、開閉弁（92）が開放される。これにより、冷媒を外気冷却熱交換器（61）をバイパスさせて環気冷却熱交換器（67）へ送ることができる。
【０１０３】
−実施形態２の効果−
本実施形態２によれば、排気通路（50）に第３排気路（53）を設けるようにしたので、この第３排気路（53）と戻し通路（1）とを通じて、前記除湿ユニット（30）を通過して温度が上昇した空気を再生側の吸着熱交換器（22,24）の入口側へ供給することができる。これにより、再生側の吸着熱交換器（22,24）の入口空気の温度をさらに上昇させることができる。この結果、冷媒回路（20a）の高圧圧力が上昇して、吸着熱交換器（22,24）の凍結や冷媒回路（20a）の低圧圧力の低下異常を回避することができる。
【０１０４】
本実施形態２によれば、再生温度を前記のように１４０℃から６０℃まで大幅に下げて再生熱量を低減することが可能になるため、大幅な省エネルギー化を図ることができる。前記の条件で計算したところ、電力消費量が約３５％低減され、システムのランニングコストが大幅に低下する。また、再生熱交換器（65）を冷媒回路（70a）の熱交換器にしているので、省エネ効果をさらに高めることができる。
【０１０５】
また、本実施形態２では、吸着ロータ（31）の再生温度を６０℃にすることが可能になるので、リチウムイオン電池の製造設備から発生する排熱を再生に利用したり、冷媒回路（70a）の排熱を利用したりすることが可能になり、より省エネルギー化を図ることができる。このように排熱を利用できることは、リチウムイオン電池の製造設備に限らず、その他の工場の製造ラインであっても有効である。
【０１０６】
また、冷凍ユニット（70）では、再生熱交換器（65）、外気冷却熱交換器（61）、再熱熱交換器（64）、及び環気冷却熱交換器（67）が同じ冷媒回路（70a）に接続されている。これにより、外気冷却熱交換器（61）や環気冷却熱交換器（67）で回収した空気の熱を、再生熱交換器（65）や再熱熱交換器（64）での空気の加熱に利用できる。その結果、除湿システムの省エネ性を向上できる。
【０１０７】
《その他の実施形態》
前記実施形態については、以下のような構成としてもよい。
【０１０８】
前記実施形態１では、制御部（8）において、検知部（7）が切換動作を検知すると、その切換動作の直後に、第１制御を中断し、戻し通路（1）のダンパ（2）の開度を最小開度まで強制的に閉じていたが、これに限定されず、ダンパ（2）の開度を全閉にしてもよい。この場合であっても、吸着熱交換器（22，24）の再生時間を早くすることができる。
【０１０９】
また、前記実施形態２では、調湿空間（S）空気（RA）を給気通路（40）へ返送する環気通路（58）を設けているが、環気通路（58）は必ずしも設けなくてもよい。
【０１１０】
また、前記実施形態２では、除湿システム（10）に第３除湿ユニット（60）を設けているが、必ずしも第３除湿ユニット（60）を設ける必要はない。
【０１１１】
なお、以上の実施形態は、本質的に好ましい例示であって、本発明、その適用物、あるいはその用途の範囲を制限することを意図するものではない。
【産業上の利用可能性】
【０１１２】
以上説明したように、本発明は、除湿した空気を調湿空間へ供給する除湿システムについて有用である。
【符号の説明】
【０１１３】
1  戻し通路
2  ダンパ（風量調整機構）
5  制御コントローラ
7  検知部
8  制御部
10  調湿装置
22  第１吸着熱交換器
24  第２吸着熱交換器
25  冷媒流路切換機構（四方切換弁）
26  第１流路切換部（空気通路切換機構）
27  第２流路切換部（空気通路切換機構）
40  給気通路
50  排気通路
S   調湿空間
【図１】
2014126255.tif 000003
【図２】
2014126255.tif 000004
【図３】
2014126255.tif 000005
【図４】
2014126255.tif 000006
【図５】
2014126255.tif 000007
【図６】
2014126255.tif 000008